(57)【要約】【課題】  被った場合、フエイスカバーの内側面に曇りのない、しかも視界が極めて良好で、さらに通気性が良好で、不快感のないフエイスカバーを提供すること。【解決手段】  下端に開口部を有する通気性不織布からなるフエイスカバーにおいて、フエイスカバーの前面の少なくとも１部が防曇性が３級以上で、ヘイズが５％以下のフイルムで構成されているフエイスカバー。【選択図】  図１    
2005319145.tif 000002
【特許請求の範囲】
【請求項１】
下端に開口部を有する通気性不織布からなるフエイスカバーにおいて、フエイスカバーの前面の少なくとも１部が防曇性が３級以上で、ヘイズが５％以下のフイルムで構成されているフエイスカバー。
【発明の詳細な説明】
【技術分野】
【０００１】
本発明は、フエイスカバー、とくに試着用フエイスカバーに関する。
【背景技術】
【０００２】
婦人服売り場などで、試着時に化粧品、整髪剤により、試着衣類が汚れるのを防ぐために、透視可能な不織布またはフイルムを使用したフエイスカバーは知られている（特許文献１）。
【特許文献１】特開平１１−１１３６３２（特許請求の範囲、［００１５］）
【発明の開示】
【発明が解決しようとする課題】
【０００３】
しかしながら、特許文献１に記載のような、ただ単に視野にあたる部分に透視可能なフイルムを使用しただけでは、フエイスカバーの内側面が曇ってしまうし、またフイルムのみからなるフエイスカバーでは、通気性が悪いため、不快感がある。
【課題を解決するための手段】
【０００４】
上記課題は、下端に開口部を有する通気性不織布からなるフエイスカバーにおいて、フエイスカバーの前面の少なくとも１部が防曇性が３級以上で、ヘイズが５％以下のフイルムで構成されているフエイスカバーを提供することによって解決される。
【発明の効果】
【０００５】
本発明によれば、被った場合、フエイスカバーの内側面に曇りのない、しかも視界が極めて良好で、さらに通気性が良好で、不快感のないフエイスカバーを得ることができる。
【発明を実施するための最良の形態】
【０００６】
本発明において、防曇性が３級以上で、ヘイズが５％以下のフイルムを使用することは重要で、このフイルムを使用することにより、フエイスカバーを被った場合、フエイスカバーの内側面に曇りのない、しかも視界が極めて良好なフエイスカバーを得ることができる。ここで、フイルムの素材としては、ポリエチレン、ポリプロピレン、ポリエステル、ポリアミド、ポリビニルアルコール、エチレンービニルアルコール共重合体などが挙げられるが、ポリプロピレンが最適である。ポリプロピレンとしては、アイソタクチックポリプロピレン、プロピレン−エチレン共重合体、プロピレン−ブテン共重合体、プロピレン−エチレン−ブテン共重合体などが挙げられる。
【０００７】
フイルムの防曇性は、３級以上であることが重要であり、好適には２級以上、すなわち２級または１級である。防曇性をこの範囲にすることにより、フエイスカバーを被ったとき、曇りにより視界が不良となることがない。このような、防曇性フイルムとしては、フイルム中に防曇剤を含有させたフイルム、防曇剤をフイルム表面にコートしたフイルムなどが挙げられる。また、ここで使用する防曇剤としては、多価アルコールの脂肪酸エステル、高級脂肪酸アミンのエチレンオキサイド付加物、高級脂肪族アルカノールアミドなどが代表例として挙げられる。防曇剤をフイルム中に配合して使用する場合、防曇剤の配合量はフイルム樹脂に対して０．１〜１０重量％の範囲から選ばれる。
【０００８】
フイルムのヘイズは５％以下であることが重要であり、好適には３％以下である。ヘイズをこの範囲にすることにより、外界を抵抗感なく、極めて鮮明に見ることができる。フイルムの厚さは５〜１０００μｍの範囲から選ばれる。フイルムの樹脂の種類、フイルムの厚さ、防曇剤の種類、さらにはその他の添加剤を選択する場合は、ヘイズが５％以下になるように調整することが必要である。
【０００９】
本発明において、上記フイルムとともに通気性の不織布を使用することも重要である。また、この不織布はヒートシール可能であることが、さらに好適である。不織布の素材としては、ポリエチレン、ポリプロピレン、ポリエステル、ポリアミド、ポリビニルアルコ−ル、エチレン−ビニルアルコール共重合体、さらにはこれらのこれらの混合または複合繊維が挙げられる。これらの不織布の素材のなかでポリプロピレンが好適である。不織布は、スパンボンド法、メルトブローン法、ニードルパンチング法などにより得られる。
【００１０】
本発明の上記不織布および上記フイルムからなるフエイスカバーは、フエイスカバーの前面の少なくとも１部が上記フイルムで構成されていることが、視界が良好で、さらに通気性が良好で、不快感のないフエイスカバーを得る上で重要である。ここで、フエイスカバーの前面の少なくとも１部とは、被った場合、少なくとも前方が見える程度の範囲を言う。
【００１１】
次に、本発明を図面により説明する。
図１は、本発明のフエイスカバーの前面図であり、図２は裏面図であり、図３は側面の断面図である。このフエイスカバー１は、前面の上下部に不織布２、３を有し、中間部に防曇性が３級以上で、ヘイズが５％以下のフイルム５を有しており、裏面は中間部まで不織布４を有し、不織布４の下端には開口部（被り口）６を有している。前面の不織布２とフイルム５の端部、および不織布３とフイルム５の端部はそれぞれシールされ接着固定されている。また、裏面の不織布４の３方（上端、両側端）は、表面の不織布２およびフイルム５にシールされている。ここで、シールはヒートシールが好適であるが、その他超音波によるシール、接着剤によるシールも使用可能である。
【００１２】
図４は、本発明の他の態様を示すフエイスカバーの前面図であり、図５は裏面図、図６は側面の断面図である。このフエイスカバー１は、前面の上下部に不織布２、３を有し、中間部に防曇性フイルム５を有しており、裏面は下端部まで不織布４を有し、不織布４の下端には開口部（被り口）６を有している。前面の不織布２とフイルム５の端部、および不織布３とフイルム５の端部はそれぞれシールされ接着固定されている。また、裏面の不織布４の３方（上端、両側端）は、表面の不織布２およびフイルム５にシールされている。
【００１３】
図７は、本発明の他の態様を示すフエイスカバーの前面図であり、図８は裏面図、図９は側面の断面図である。このフエイスカバー１は、前面の上部に防曇性フイルム５を有し、下部に不織布３を有しており、裏面は中間部まで不織布４を有し、不織布４の下端には開口部（被り口）６を有している。前面の不織布３とフイルム５の端部はシールされ接着固定されている。また、裏面の不織布４の３方（上端、両側端）は、表面のフイルム５にシールされている。
【００１４】
図１０は、本発明の他の態様を示すフエイスカバーの前面図であり、図１１は裏面図、図１２は側面の断面図である。このフエイスカバー１は、前面の上部に防曇性フイルム５を有し、下部に不織布３を有しており、裏面は下端部まで不織布４を有し、不織布４の下端には開口部（被り口）６を有している。前面の不織布３とフイルム５の端部はシールされ接着固定されている。また、裏面の不織布４の３方（上端、両側端）は、表面のフイルム５にシールされている。
図中、太線は、シール部分を示す。
次に、実施例により本発明をさらに説明する。
【実施例１】
【００１５】
図１〜３に示すフエイスカバーを次の方法により得た。
なお、使用した不織布および防曇性フイルムは次のとおりである。
不織布：ポリプロピレン製スパンボンド不織布２０ｇ／ｍ２（通気量３６０ｃｃ／ｃｍ２／ｓｅｃ）
防曇性フイルム：防曇タイプポリプロピレンフイルム２０ミクロン（ヘイズ３％、防曇性１級）
ヘイズの測定：ＪＩＳ  Ｋ  ６７１４に準拠
防曇性の測定：５００ｃｃのビーカーに５５℃の温水を３００ｃｃ入れ、試料の防曇面を内側にしてビーカーを被せ、５℃の部屋で３０分間放冷する。その後フイルム面への水滴の付着状況を目視観察し、下記の基準で評価した。
防曇性１級  露付着面積０％
防曇性２級  露付着面積２０％以内
防曇性３級  露付着面積２５％以内
【産業上の利用可能性】
【００１６】
本発明のフエイスカバーは、衣服、とくに婦人服売り場の試着室において使用される。
【図面の簡単な説明】
【００１７】
【図１】本発明のフエイスカバーの前面図である。
【図２】図１の裏面図である。
【図３】図１の側面の断面図である。
【図４】本発明の他の態様を示すフエイスカバーの前面図である。
【図５】図４の裏面図である。
【図６】図４の側面の断面図である。
【図７】本発明の他の態様を示すフエイスカバーの前面図である。
【図８】図７の裏面図である。
【図９】図７の側面の断面図である。
【図１０】本発明の他の態様を示すフエイスカバーの前面図である。
【図１１】図１０の裏面図である。
【図１２】図１０の側面の断面図である。
【符号の説明】
【００１８】
１      フエイスカバー
２、３  不織布
４      不織布
５      フイルム
６      開口部
７      画面
【図１】
2005319145.tif 000003
【図２】
2005319145.tif 000004
【図３】
2005319145.tif 000005
【図４】
2005319145.tif 000006
【図５】
2005319145.tif 000007
【図６】
2005319145.tif 000008
【図７】
2005319145.tif 000009
【図８】
2005319145.tif 000010
【図９】
2005319145.tif 000011
【図１０】
2005319145.tif 000012
【図１１】
2005319145.tif 000013
【図１２】
2005319145.tif 000014